(57)【要約】  本発明は、電子的な制御装置（１０）であって、好ましくはプラスチックから成るハウジング（１１）と、少なくとも１つの高周波接続部（１４，１５）とを備えており、この高周波接続部（１４，１５）が、高周波信号を伝送するための高周波導体（１９）及び遮蔽要素（２１）を形成する少なくとも２つの要素（１８；１８ａ；１８ｂ；１８ｄ，２０；２０ａ；２０ｂ；２０ｃ；２０ｄ）を有しており、高周波接続部（１４，１５）の両要素（１８；１８ａ；１８ｂ；１８ｄ，２０；２０ａ；２０ｂ；２０ｃ；２０ｄ）が、ハウジング（１１）の内室で回路支持体（２５）に接続可能であり、高周波接続部（１４，１５）の両要素（１８；１８ａ；１８ｂ；１８ｄ，２０；２０ａ；２０ｂ；２０ｃ；２０ｄ）が、回路支持体（２５）に近い方の側で圧入ピン（２８；２８ｂ；２８ｄ，２９；２９ｂ；２９ｃ；２９ｄ，５１）の形態で形成されている、電子的な制御装置（１０）に関する。
2018513533.tif 000002
【特許請求の範囲】
【請求項１】
電子的な制御装置（１０）であって、
好ましくはプラスチックから成るハウジング（１１）と、
少なくとも１つの高周波接続部（１４，１５）と、
を備え、
前記高周波接続部（１４，１５）は、高周波信号を伝送する高周波導体（１９）及び遮蔽要素（２１）を形成する少なくとも２つの要素（１８；１８ａ；１８ｂ；１８ｄ，２０；２０ａ；２０ｂ；２０ｃ；２０ｄ）を有し、
前記高周波接続部（１４，１５）の両方の前記要素（１８；１８ａ；１８ｂ；１８ｄ，２０；２０ａ；２０ｂ；２０ｃ；２０ｄ）は、前記ハウジング（１１）の内室で回路支持体（２５）に接続可能であり、
前記高周波接続部（１４，１５）の両方の前記要素（１８；１８ａ；１８ｂ；１８ｄ，２０；２０ａ；２０ｂ；２０ｃ；２０ｄ）は、前記回路支持体（２５）に近い方の側で圧入ピン（２８；２８ｂ；２８ｄ，２９；２９ｂ；２９ｃ；２９ｄ，５１）の形態で形成されている、
電子的な制御装置（１０）。
【請求項２】
前記圧入ピン（２８；２８ｂ；２８ｄ，２９；２９ｂ；２９ｃ；２９ｄ，５１）は、その元の方向から９０°の角度（α）だけ曲げられていることを特徴とする、請求項１に記載の制御装置。
【請求項３】
前記圧入ピン（２８；２８ｂ；２８ｄ，２９；２９ｂ；２９ｃ；２９ｄ，５１）は、前記回路支持体（２５）との接触接続領域で前記回路支持体（２５）の平面に対して直交して配置されていることを特徴とする、請求項１又は２に記載の制御装置。
【請求項４】
両方の前記要素（１８，２０）は、それぞれ一体型に形成されていて、前記ハウジング（１１）の外面にソケットを形成していることを特徴とする、請求項１乃至３のいずれか一項に記載の制御装置。
【請求項５】
両方の前記要素（１８ａ；１８ｂ；１８ｄ，２０ａ；２０ｂ；２０ｃ；２０ｄ）は、前記ハウジング（１１）の内部でハウジング外側に近い方の側において、両方の前記要素（１８ａ；１８ｂ；１８ｄ，２０ａ；２０ｂ；２０ｃ；２０ｄ）と別体の、好ましくはソケットとして形成された要素（３２）に接続可能であることを特徴とする、請求項１乃至３のいずれか一項に記載の制御装置。
【請求項６】
前記高周波接続部（１４，１５）の両方の前記要素（１８；１８ａ；１８ｂ；１８ｄ，２０；２０ａ；２０ｂ；２０ｃ；２０ｄ）は、打抜き／曲げ加工部材として形成されていることを特徴とする、請求項１乃至５のいずれか一項に記載の制御装置。
【請求項７】
前記高周波接続部（１４，１５）は、射出成形部材として形成される前記ハウジング（１１）の材料又は接続体（１６）の材料の射出成形により、当該材料で部分的に取り囲まれていることを特徴とする、請求項１乃至６のいずれか一項に記載の制御装置。
【請求項８】
前記高周波接続部（１４，１５）の両方の前記要素（１８；１８ａ；１８ｂ；１８ｄ，２０；２０ａ；２０ｂ；２０ｃ；２０ｄ）は、前記圧入ピン（２８；２８ｂ；２８ｄ，２９；２９ｂ；２９ｃ；２９ｄ，５１）の領域で互いに平行に配置されていることを特徴とする、請求項１乃至７のいずれか一項に記載の制御装置。
【請求項９】
前記遮蔽要素（２１）は、２つの圧入ピン（２９ｄ，３０ｄ）を有し、両圧入ピン（２９ｄ，３０ｄ）の間に前記高周波導体（１９）の１つの圧入ピン（２８ｄ）が配置されていることを特徴とする、請求項８に記載の制御装置。
【請求項１０】
前記遮蔽要素（２１）は、前記高周波導体（１９）の前記圧入ピン（２８ｄ）に比べて拡幅された少なくとも１つの遮蔽領域（３８，３９，４２；４２ｅ，４３，４４，４７）を有し、当該遮蔽領域（３８，３９，４２；４２ｅ，４３，４４，４７）は、当該遮蔽領域（３８，３９，４２；４２ｅ，４３，４４，４７）に対して垂直に配置された方向に関して前記高周波導体（１９）を少なくとも部分的に覆っていることを特徴とする、請求項８又は９に記載の制御装置。
【請求項１１】
前記高周波導体（１９）用の、好ましくは少なくともほぼ閉鎖された収容室（４９）を形成する複数の遮蔽領域（４２ｅ，４３，４４，４７）が設けられていることを特徴とする、請求項１０に記載の制御装置。
【請求項１２】
前記遮蔽領域（３８，３９，４２；４２ｅ，４３，４４，４７）は、互いに直交して配置されていて、所定の曲率半径（ｒ）を有する湾曲区分（４１，４８）を介して部分的に互いに一体に結合されていることを特徴とする、請求項１１に記載の制御装置。
【発明の詳細な説明】
【技術分野】
【０００１】
背景技術
本発明は、電子的な制御装置に関する。さらに、本発明は、本発明に係る制御装置の使用に関する。
【背景技術】
【０００２】
同出願人の独国特許出願公開第１９８５１４５５号明細書（DE 198 51 455 A1）に基づき、自動車において電動モータにより運転される、例えばウィンドウリフタ駆動装置の形態の駆動ユニットの構成要素である電子的な制御装置が公知である。この公知の電子的な制御装置は、この制御装置の内部の構成要素の電気的な接触接続のために、コネクタ接続部が設けられている点で優れている。このコネクタ接続部はコネクタ接続体により取り囲まれている。これは、このコネクタ接続体の材料の射出成形により、この材料でコネクタ接続部を部分的に取り囲むことによって行われる。これによって、コネクタ接続体が、いわゆる「予備射出成形品」を形成している。ここまででコネクタ接続部を備えたコネクタ接続体は、その後、ハウジングに設けられた相応の収容部内に挿入されてもよいし、ハウジングの材料の射出成形により、この材料でコネクタ接続体を取り囲むことによって、ハウジングに直接結合されていてもよい。
【０００３】
民間及び軍事における航空技術的又は航海技術的な用途では、ナビゲーションのために、すなわち、乗り物の現在位置を特定するために、衛星を利用した情報に加えて付加的に、磁界センサ、慣性センサ又はこれに類するものの形態の内部の測定装置を使用することが知られている。このように、衛星を利用したナビゲーションを、乗り物内に配置された測定装置と組み合わせることによって、位置特定の精度が向上させられるか又は世界の数多くの地域において位置特定の精度が第一に確保される。この場合、高周波アンテナケーブル又はその他の測定装置の信号を水密な又は媒体密な接続部を介して電子的な制御装置の内部に案内することが、しばしば必要となる。このために、先行技術では、比較的少ない個数に基づき、高周波信号のために、例えば制御装置のハウジングに螺合されるＨＦ（高周波）ソケットが、シールリング又はこれに類する要素の使用下で用いられる。さらに、ソケットは、ハウジング内部のケーブル接続部又はこれに類するものを介して回路支持体に比較的手間をかけて電気的に接触接続されている。ソケットと回路支持体との間のこのような接続部の目的は、１つには、高周波信号（有用信号）を外的な妨害影響に対して防護するか又は遮蔽することであり、もう１つには、関係する周波数範囲内での有用信号のインピーダンスコントロールされた案内である。ここまで説明した、ハウジング内部へのかつハウジング内部での高周波信号の供給は、特に自動車において利用されるような大量生産技術では、製造及びコストの理由から好ましくないと考えられている。
【先行技術文献】
【特許文献】
【０００４】
【特許文献１】独国特許出願公開第１９８５１４５５号明細書
【発明の概要】
【発明が解決しようとする課題】
【０００５】
発明の開示
冒頭で述べた先行技術を前提として、本発明の課題は、電子的な制御装置を改良して、高周波信号の伝送に関して最適化されたアッセンブリを簡単かつ廉価な製造で得ることである。特に高周波差込み接続部の要素に対する適切なジオメトリ及び材料選択によって、高周波接続部の伝送区間に沿って特性インピーダンス（インピーダンス）が可能な限り一定に保たれる、すなわち、可能な限りほとんど変化しないことが望ましい。同時に、特にプリント配線板の形態の回路支持体への高周波接続部の特に簡単かつ製造技術的に有利な接続が達成されることが望ましい。
【課題を解決するための手段】
【０００６】
この課題は、本発明によれば、請求項１の特徴を有する電子的な制御装置において、主として、高周波接続部が、少なくとも２つの要素、つまり、高周波信号を伝送するための高周波導体と、遮蔽要素とを有しており、高周波接続部の両要素が、ハウジングの内室で回路支持体（プリント配線板）に接続可能であり、高周波接続部の両要素が、回路支持体に近い方の側で圧入ピンの形態で形成されていることによって解決される。
【０００７】
特に最後に挙げた特徴によって、大量生産技術的な実現を促す、プリント配線板への高周波接続部の特に簡単な電気的かつ機械的な接触接続が可能となることが確保される。
【０００８】
電子的な制御装置の有利な改良形態は、従属請求項に記載してある。本発明の枠内には、特許請求の範囲、明細書及び／又は図面に開示された特徴のうちの少なくとも２つの特徴から成る組合せ全てが含まれる。
【０００９】
特に高周波接続部は、電子的な制御装置にアンテナケーブルを接続するために役立つ。信号は、回路支持体（プリント配線板）に配置された受信チップに最小の反射損失でもって引き続き案内されることが望ましい。このためには、超高周波信号を伝送するために、反射を最小限に抑えることにより、伝送を最適化することが必要となる。
【００１０】
本発明により特定された圧入ピンの第１の配置形態では、圧入ピンが、その元の方向から９０°の角度だけ曲げられている。このような配置形態によって、回路支持体への圧入ピンの特に簡単な組付けが可能となる。しかし、本発明の枠内では、使用事例に応じて、特にプリント配線板に対するセンサの位置又は姿勢に応じて、圧入ピンをその元の方向から異なる角度だけ、特に４５°の多様な角度で曲げることも可能である。
【００１１】
高周波接続部の両要素の、伝送特性に関して最適化された構成は、両要素が、それぞれ一体型に形成されていて、ハウジングの外面にソケットを形成している場合に得ることができる。両要素をそれぞれ一体型にすることによって、特に伝送区間の長さにわたって見て、高周波導体の横断面の最適化と特に良好な遮蔽とが可能になる。さらに、ソケットとしての構成によって、コネクタを有する従来のアンテナ接続ケーブルの使用が可能となる。
【００１２】
しかし、両要素が、ハウジングの内部でハウジング外側に近い方の側において、両要素と別体の、好ましくはソケットとして形成された要素に接続されていることも可能である。
【００１３】
高周波接続部の両要素は、打抜き／曲げ加工部材として製造技術的に特に簡単かつ有利に形成することができる。
【００１４】
さらに、高周波接続部が、射出成形部材として形成されるハウジングの材料又は予備射出成形品を形成する接続体の材料の射出成形により、この材料で部分的に取り囲まれている構成が、全く特に好適である。このような構成によって、特に付加的なシール要素を使用せずに最小の組立て手間で、高周波接続部をハウジングに対して水密に又は媒体密に形成することが可能となる。
【００１５】
高周波接続部の両要素の特に簡単なジオメトリは、両要素が、圧入ピンの領域で互いに平行に配置されている場合に達成することができる。
【００１６】
改善された遮蔽特性を遮蔽要素が有している最後に挙げた思想の改良形態では、遮蔽要素が、２つの圧入ピンを有しており、両圧入ピンの間に高周波導体の１つの圧入ピンが配置されていることが特定されている。
【００１７】
遮蔽要素の遮蔽特性を改善するために、さらに、遮蔽要素が、高周波導体の圧入ピンに比べて拡幅された少なくとも１つの遮蔽領域を有しており、この遮蔽領域が、この遮蔽領域に対して垂直に配置された方向に関して高周波導体を少なくとも部分的に覆っていると有利である。
【００１８】
一層改善された遮蔽作用は、高周波導体用の、好ましくは少なくともほぼ閉鎖された収容室を形成する複数の遮蔽領域が設けられている場合に得ることができる。
【００１９】
このためには、特に遮蔽領域が、互いに直交して配置されていて、所定の曲率半径を有する湾曲区分を介して部分的に互いに一体に結合されていることが特定されていてよい。
【００２０】
本発明の更なる利点、特徴及び詳細は、以下の好適な複数の実施例の説明及び図面から明らかである。
【図面の簡単な説明】
【００２１】
【図１】本発明に係る電子的な制御装置の斜視的な外面図である。
【図２】一方の高周波差込み接続部の高周波導体と遮蔽要素とを形成するためのそれぞれ１つの一体型の要素を使用した本発明の第１の実施の形態の概略図である。
【図３】ソケットを形成するための付加的な別体の要素を使用した高周波差込み接続部の本発明による第２の構成を図２に相応して示す図である。
【図４】制御装置のハウジング壁の領域における図３に示した高周波差込み接続部の斜視図である。
【図５】電子的な制御装置のハウジングの内室に高周波差込み接続部を形成するための高周波導体及び遮蔽要素の別の構成の斜視図である。
【図６】電子的な制御装置のハウジングの内室に高周波差込み接続部を形成するための高周波導体及び遮蔽要素のさらに別の構成の斜視図である。
【図７】電子的な制御装置のハウジングの内室に高周波差込み接続部を形成するための高周波導体及び遮蔽要素のさらに別の構成の斜視図である。
【発明を実施するための形態】
【００２２】
図中、同一の要素又は同一の機能を有する要素には、同一の符号が付してある。
【００２３】
図１には、乗り物における運転者支援システム、特にナビゲーションシステムの構成要素としての電子的な制御装置１０が示してある。この制御装置１０は、衛星を利用した情報と、付加的に、例えば磁界又は加速度又は減速度又は圧力を検出するためのセンサ機構とを用いて、乗り物又は制御装置１０の位置を算出するように形成されている。
【００２４】
制御装置１０の、好ましくはプラスチックから成っていて、射出成形法で製造されたハウジング１１は、電気的な接触接続のために、例えば相並んで配置された２つのＮａｎｏ−ＭＱＳ差込み接続部１２，１３と、同じく相並んで配置された２つの高周波接続部１４，１５とを有している。これらの接続部１２，１３，１４，１５は、ハウジング１１の外面にそれぞれソケットの形態で形成されている。当然ながら、差込み接続部１２，１３と高周波接続部１４，１５とは、ハウジング１１における別の位置を有していてもよい。両高周波接続部１４，１５によって、ハウジング側に向けられた面にコネクタを有する高周波アンテナケーブル（図示せず）をハウジング１１又は制御装置１０に電気的に接続することが可能となる。
【００２５】
差込み接続部１２，１３と高周波接続部１４，１５とを、プラスチックから成っていて、射出成形で製造された接続体１６の範囲内に配置することを特定することができる。この接続体１６が、ハウジング１１を製造するための射出成形金型内に挿入され、ハウジング１１の材料が射出成形されて、この材料が接続体１６に固着されることにより、ハウジング１１の材料が、接続体１６の材料を部分的に取り囲むようになっている。これによって、ハウジング１１に対する差込み接続部１２，１３と高周波接続部１４，１５との媒体密な又は水密な配置及び構成が形成されている。さらに、ハウジング１１の上面に凹部１７が認められる。この凹部１７の範囲内には、例えば圧力センサのダイヤフラム（図示せず）が配置されている。
【００２６】
図２及び図３には、両高周波接続部１４，１５のうちの一方の例、図示の実施例では高周波接続部１４における本発明による互いに異なる配置又は構成が示してある。図２に認めることができるように、一方の高周波接続部１４は、基本的に、高周波導体１９を形成する第１の要素１８から成っている。この第１の要素１８又は高周波導体１９は、遮蔽体２１を形成する第２の要素２０によって少なくとも部分的に取り囲まれている。このことは、ハウジング１１の外側で遮蔽体２１が（ピン状の）高周波導体１９を環状に取り囲んでいる図１に最も明瞭に認めることができる。
【００２７】
さらに、図２に基づき認めることができるように、両要素１８，２０は、ハウジング１１若しくは接続体１６の構成要素であるハウジング壁２２を貫通しているか又はハウジング１１若しくは接続体１６の材料の射出成形により、この材料で取り囲まれている。さらに、制御装置１０のハウジング１１の内部にプリント配線板２５の形態の回路支持体が認められる。プリント配線板２５は、孔の形態の開口２６，２７を有している。この開口２６，２７は、プリント配線板２５を高周波接続部１４，１５の両要素１８，２０に電気的にかつ機械的に接触接続するように形成されている。このために、例えば、高周波導体１９が１つの圧入ピン２８を有していて、遮蔽体２１が２つの圧入ピン２９，３０を有していることが特定されている。これら２つのピン２９，３０はその元の方向から９０°の角度αだけ曲げられていて、プリント配線板２５の平面に対して垂直に配置されている。
【００２８】
矢印３１によって、圧入ピン２８〜３０に対して相対的なプリント配線板２５の圧入方向が表してある。補足的に述べておくと、圧入ピン２９，３０を要素１８，２０に対して直線状に形成する、すなわち、１８０°の角度αで形成することも本発明の枠内にある。図２に示した両要素１８，２０の実施例では、これら両要素１８，２０がそれぞれ一体型に形成されていることが重要となる。
【００２９】
図３には、図２に対して変更された本発明の実施の形態が示してある。この実施の形態では、図２の実施の形態と異なり、両要素１８ａ，２０ａが完全にハウジング１１の内室の内部に配置されている。そこでは、要素１８ａ，２０ａが、好ましくは規格化された要素３２に接続されている。この規格化された要素３２はハウジング壁２２を貫通していて、例えば先行技術に基づき自体公知の高周波ソケットとして形成されている。
【００３０】
図３の構成に則って、図４には、要素３２がハウジング１１の内室の領域で両要素１８ｂ，２０ｂに接続されていることが示してある。これら両要素１８ｂ，２０ｂは、特に金属薄板から成る打抜き／曲げ加工部材として形成されている。要素１８ｂは環状の区分３３を有している。この環状の区分３３の一方の側には、ソケット長手方向軸線３５に対して平行に延在する直線状に一体成形された移行区分３４が一体成形されている。この移行区分３４に対して直交して圧入ピン２８ｂが続いている。要素２０ｂも同じく環状の区分３６を有している。この環状の区分３６は、同じくソケット長手方向軸線３５に対して平行に配置された移行区分３７を介して圧入ピン２９ｂに移行している。両圧入ピン２８ｂ，２９ｂ又は両移行区分３４，３７は互いに平行に配置されている。
【００３１】
図５では、要素１８ｂが、遮蔽体２１を形成する第２の要素２０ｃに組み合わされている。この第２の要素２０ｃは、図４に相応の第２の要素２０ｂに比べて、第２の要素２０ｃが２つの方形の遮蔽領域３８，３９を有している点で変更されている。両遮蔽領域３８，３９は、所定の曲率半径ｒを有する湾曲区分４１を介して互いに一体に結合されている。両遮蔽領域３８，３９は互いに直交して配置されている。一方の遮蔽領域３８が環状の区分３３ｃに結合されているのに対して、他方の遮蔽領域３９の下縁部からは圧入ピン２９ｃが突出している。さらに、第１の要素１８ｂの移行区分３４が、第１の遮蔽領域３８の平面に対して垂直に配置された方向において、遮蔽領域３８に対して整合して配置されているか又は遮蔽領域３８によって覆われていることが認められる。要素２０ｃの遮蔽特性は、図４の要素２０ｂに比べて改善されている。
【００３２】
図６には、図５に比べて一層改善された遮蔽特性を有する実施の形態が示してある。この実施の形態では、第１の要素１８ｄが、圧入ピン２８ｄに対して垂直に配置された移行区分３４ｄを有している。この移行区分３４ｄは、半径ｒを有する湾曲区分４１を介して圧入ピン２８ｄに移行している。第２の要素２０ｄは、それぞれほぼ方形の全部で３つの遮蔽領域４２，４３，４４を有している。それぞれ１つの圧入ピン２９ｄ，３０ｄを有する両遮蔽領域４２，４３は、第１の要素１８ｄが両遮蔽領域４２，４３の間に配置されているか又は両遮蔽領域４２，４３によって収容されているように、互いに平行に配置されている。
【００３３】
曲率半径ｒを有する湾曲区分４５を介して遮蔽領域４３に一体に結合された遮蔽領域４４は、好ましくは最小のギャップ４６を形成して遮蔽領域４３にまで接近している。
【００３４】
最後に、図７には、図６に対して変更された、一層改善された遮蔽特性を有する変化形態が示してある。この変化形態では、遮蔽領域４２ｅが付加的な遮蔽領域４７を有している。この遮蔽領域４７は遮蔽領域４２ｅに一体に成形されていて、湾曲区分４８を介して、遮蔽領域４７が第１の要素１８ｄを覆うように、遮蔽領域４２ｅに対して直交して配置されている。遮蔽領域４２ｅ，４３，４４，４７によって、収容領域４９が形成されており、この収容領域４９内に第１の要素１８ｄが配置されている。この第１の要素１８ｄは付加的に別の圧入ピン５１を有している。また、遮蔽領域４７が付加的な圧入ピン（図示せず）を有していてもよい。
【００３５】
複数の遮蔽領域４２，４２ｅ，４３，４４，４７が、曲率半径ｒ又は湾曲区分４１を介して互いに一体に結合されている事例では、遮蔽領域４２，４２ｅ，４３，４４，４７が、内側導体又は第１の要素１８ｂ，１８ｄを取り囲むほぼ丸まった遮蔽体を形成するように、曲率半径ｒ又は湾曲区分４１を形成することが有利であり、これによって、遮蔽体２１と第１の要素１８ｂ，１８ｄとが所望のインピーダンスを有している。
【００３６】
ここまで説明した電子的な制御装置１０は、本発明の思想を逸脱することなしに、多種多様な形態に変更又は修正されてよい。
【図１】
2018513533.tif 000003
【図２】
2018513533.tif 000004
【図３】
2018513533.tif 000005
【図４】
2018513533.tif 000006
【図５】
2018513533.tif 000007
【図６】
2018513533.tif 000008
【図７】
2018513533.tif 000009
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
電子的な制御装置（１０）であって、
ハウジング（１１）と、
少なくとも１つの高周波接続部（１４，１５）と、
を備え、
前記高周波接続部（１４，１５）は、高周波信号を伝送する高周波導体（１９）及び遮蔽要素（２１）を形成する少なくとも２つの要素（１８；１８ａ；１８ｂ；１８ｄ，２０；２０ａ；２０ｂ；２０ｃ；２０ｄ）を有し、
前記高周波接続部（１４，１５）の両方の前記要素（１８；１８ａ；１８ｂ；１８ｄ，２０；２０ａ；２０ｂ；２０ｃ；２０ｄ）は、前記ハウジング（１１）の内室で回路支持体（２５）に接続可能であり、
前記高周波接続部（１４，１５）の両方の前記要素（１８；１８ａ；１８ｂ；１８ｄ，２０；２０ａ；２０ｂ；２０ｃ；２０ｄ）は、前記回路支持体（２５）に近い方の側で圧入ピン（２８；２８ｂ；２８ｄ，２９；２９ｂ；２９ｃ；２９ｄ，５１）の形態で形成されている、
電子的な制御装置（１０）。
【請求項２】
前記圧入ピン（２８；２８ｂ；２８ｄ，２９；２９ｂ；２９ｃ；２９ｄ，５１）は、その元の方向から９０°の角度（α）だけ曲げられていることを特徴とする、請求項１に記載の制御装置。
【請求項３】
前記圧入ピン（２８；２８ｂ；２８ｄ，２９；２９ｂ；２９ｃ；２９ｄ，５１）は、前記回路支持体（２５）との接触接続領域で前記回路支持体（２５）の平面に対して直交して配置されていることを特徴とする、請求項１又は２に記載の制御装置。
【請求項４】
両方の前記要素（１８，２０）は、それぞれ一体型に形成されていて、前記ハウジング（１１）の外面にソケットを形成していることを特徴とする、請求項１乃至３のいずれか一項に記載の制御装置。
【請求項５】
両方の前記要素（１８ａ；１８ｂ；１８ｄ，２０ａ；２０ｂ；２０ｃ；２０ｄ）は、前記ハウジング（１１）の内部でハウジング外側に近い方の側において、両方の前記要素（１８ａ；１８ｂ；１８ｄ，２０ａ；２０ｂ；２０ｃ；２０ｄ）と別体の要素（３２）に接続可能であることを特徴とする、請求項１乃至３のいずれか一項に記載の制御装置。
【請求項６】
前記別体の要素（３２）は、ソケットとして形成された要素（３２）である、請求項５に記載の制御装置。
【請求項７】
前記高周波接続部（１４，１５）の両方の前記要素（１８；１８ａ；１８ｂ；１８ｄ，２０；２０ａ；２０ｂ；２０ｃ；２０ｄ）は、打抜き／曲げ加工部材として形成されていることを特徴とする、請求項１乃至６のいずれか一項に記載の制御装置。
【請求項８】
前記高周波接続部（１４，１５）は、射出成形部材として形成される前記ハウジング（１１）の材料又は接続体（１６）の材料により、部分的に取り囲まれていることを特徴とする、請求項１乃至７のいずれか一項に記載の制御装置。
【請求項９】
前記高周波接続部（１４，１５）の両方の前記要素（１８；１８ａ；１８ｂ；１８ｄ，２０；２０ａ；２０ｂ；２０ｃ；２０ｄ）は、前記圧入ピン（２８；２８ｂ；２８ｄ，２９；２９ｂ；２９ｃ；２９ｄ，５１）の領域で互いに平行に配置されていることを特徴とする、請求項１乃至８のいずれか一項に記載の制御装置。
【請求項１０】
前記遮蔽要素（２１）は、２つの圧入ピン（２９ｄ，３０ｄ）を有し、両圧入ピン（２９ｄ，３０ｄ）の間に前記高周波導体（１９）の１つの圧入ピン（２８ｄ）が配置されていることを特徴とする、請求項９に記載の制御装置。
【請求項１１】
前記遮蔽要素（２１）は、前記高周波導体（１９）の前記圧入ピン（２８ｄ）に比べて拡幅された少なくとも１つの遮蔽領域（３８，３９，４２；４２ｅ，４３，４４，４７）を有し、当該遮蔽領域（３８，３９，４２；４２ｅ，４３，４４，４７）は、当該遮蔽領域（３８，３９，４２；４２ｅ，４３，４４，４７）に対して垂直に配置された方向に関して前記高周波導体（１９）を少なくとも部分的に覆っていることを特徴とする、請求項９又は１０に記載の制御装置。
【請求項１２】
前記高周波導体（１９）用の収容室（４９）を形成する複数の遮蔽領域（４２ｅ，４３，４４，４７）が設けられていることを特徴とする、請求項１１に記載の制御装置。
【請求項１３】
前記収容室（４９）は、閉鎖された収容室（４９）である、請求項１２に記載の制御装置。
【請求項１４】
前記遮蔽領域（３８，３９，４２；４２ｅ，４３，４４，４７）は、互いに直交して配置されていて、所定の曲率半径（ｒ）を有する湾曲区分（４１，４８）を介して部分的に互いに一体に結合されていることを特徴とする、請求項１２又は１３に記載の制御装置。
【請求項１５】
前記ハウジング（１１）は、プラスチックから成るハウジング（１１）である、請求項１乃至１４のいずれか一項に記載の制御装置。
【手続補正２】
【補正対象書類名】明細書
【補正対象項目名】００３３
【補正方法】変更
【補正の内容】
【００３３】
曲率半径ｒを有する湾曲区分４５を介して遮蔽領域４３に一体に結合された遮蔽領域４４は、好ましくは最小のギャップ４６を形成して遮蔽領域４２にまで接近している。
【国際調査報告】
2018513533.tif 000010
2018513533.tif 000011
2018513533.tif 000012
2018513533.tif 000013